(57)【要約】【課題】撮像装置に対する部品の着脱を容易なものとし、着脱される部品に応じて適切な着脱が可能となる信頼性の高い撮像装置を提供することを目的とする。【解決手段】アクセサリー保持部が撮像装置本体に装着されるとき、アクセサリー保持部により第１着脱可動部および第２着脱可動部が装着位置に移動し、第１係合部と第１被係合部が係合し、第２被係合部と第２係合部が係合し、係止部と被係止部が係止し、第１接続端子と第２接続端子が接続され、第１被係合部に対してのみアクセサリー部品が装着されるとき、第１着脱可動部が装着位置に移動して、第２着脱可動部が非装着位置に保持され、第２被係合部と被係止部と第１接続端子とを保護するよう構成されている。【選択図】図６
2020173356.tif 000002
【特許請求の範囲】
【請求項１】
撮像装置本体と、
前記撮像装置本体に対して着脱可能なアクセサリー保持部とを備え、
前記撮像装置本体は、前記アクセサリー保持部を着脱するための本体側着脱部を有し、
前記本体側着脱部は、第１被係合部と第２被係合部と被係止部と電気接点を有する第１接続端子とを備え、
前記アクセサリー保持部は、第１係合部と第２係合部と係止部と第２接続端子とを備え、
前記本体側着脱部は、前記第１被係合部に隣接して配設されて、非装着位置と装着位置とを移動可能である第１着脱可動部と、前記第２被係合部と前記被係止部と前記第１接続端子とに隣接して配設され、非装着位置と装着位置とを移動可能である第２着脱可動部と、を有し、
前記アクセサリー保持部が前記撮像装置本体に装着されるとき、前記アクセサリー保持部の押圧により前記第１着脱可動部および前記第２着脱可動部が装着位置に移動すると共に、前記第１係合部と前記第１被係合部が係合し、前記第２被係合部と前記第２係合部が係合し、前記係止部と前記被係止部が係止し、前記第１接続端子と前記第２接続端子が電気的に接続されるよう構成され、
前記本体側着脱部の前記第１被係合部に対してのみアクセサリー部品が装着されるとき、当該アクセサリー部品の押圧により前記第１着脱可動部が装着位置に移動して、当該アクセサリー部品の装着動作のための装着空間を確保すると共に、前記第２着脱可動部が非装着位置に保持されて、前記第２被係合部と前記被係止部と前記第１接続端子とを保護するように構成された、撮像装置。
【請求項２】
前記第２着脱可動部が前記アクセサリー保持部により押圧されて装着位置に移動したとき、前記第１着脱可動部が連動して装着位置に移動するよう構成されており、
前記第１着脱可動部が前記アクセサリー部品により押圧されて装着位置に移動したとき、前記第２着脱可動部が非装着位置に保持されるよう構成された、請求項１に記載の撮像装置。
【請求項３】
前記アクセサリー保持部が前記撮像装置本体に装着されるとき、前記アクセサリー保持部の押圧動作により前記第１着脱可動部および前記第２着脱可動部が装着位置に移動し、前記押圧動作の後のスライド動作により前記第１係合部と前記第１被係合部が係合し、前記第２被係合部と前記第２係合部が係合し、前記係止部と前記被係止部が係止し、前記第１接続端子と前記第２接続端子が電気的に接続されるよう構成された、請求項１または２に記載の撮像装置。
【請求項４】
非装着位置の前記第１着脱可動部と前記第２着脱可動部において、前記アクセサリー保持部が装着される面が実質的に同一平面となるよう構成された、請求項１から３のいずれか一項に記載の撮像装置。
【請求項５】
前記本体側着脱部における前記アクセサリー保持部が装着される面には、前記アクセサリー保持部のスライド動作のスライド方向に延びる複数の溝が形成された、請求項３に記載の撮像装置。
【発明の詳細な説明】
【技術分野】
【０００１】
本開示は、撮像装置に関し、特に各種機能を有するアクセサリー部品を撮像装置の本体に対して着脱するための着脱機構を持つ撮像装置に関する。
【背景技術】
【０００２】
撮像装置、例えばビデオカメラなどにおいては各種のアクセサリー部品（ライト、マイクロホンなど）を機械的および電気的に着脱可能とする構成を有している。また、ビデオカメラには、撮影者が手に持って撮影するために片手で保持可能とするグリップが設けられた構成がある。このようなグリップが設けられた構成においては、グリップを着脱可能とする構成も提案されている（特許文献１参照）。
【０００３】
更に、撮像装置においては、高機能、高画質の業務用のビデオカメラが開発されてきている。このような業務用のビデオカメラには、例えばディレクターが自ら取材して、撮影し、低予算で映像作品を作製するために、所謂、ディレクターズカメラとして用いられているものがある。このような業務用のビデオカメラは片手で保持することが難しい重量物であるため、固定点での撮影には三脚などの支持台を使用するが、移動撮影時においては撮影者がビデオカメラを両手で支持して撮影する必要がある。このような重量物である業務用のビデオカメラにおいては、撮影者がビデオカメラを安定して支持できるように、ビデオカメラの上部には大きなハンドルが設けられている（特許文献２および３参照）。
【先行技術文献】
【特許文献】
【０００４】
【特許文献１】特開２００５−１８４５０４号公報
【特許文献２】特開２０１５−１１１２４０号公報
【特許文献３】特開２０１８−１６３３２６号公報
【発明の概要】
【発明が解決しようとする課題】
【０００５】
上記のように、特に、重量物の業務用のビデオカメラなどの撮像装置においては、撮影者が安定して確実に保持できるようにハンドルが設けられている。このようなハンドルは、撮像装置の外殻と一体成型された構成や、撮像装置の外殻に対して複数のネジにより固着され取り外すことが可能な構成がある（特許文献２および３参照）。
【０００６】
撮像装置においては、持ち運びに便利な構成が望まれており、特に、ディレクターズカメラとして移動撮影に用いる業務用のビデオカメラにおいては、その収納時に小型化が可能である構成は持ち運びに便利な点で有利である。業務用のビデオカメラにおいては、各種アクセサリーと同様にカメラの外殻から突設されたハンドルが脱着可能であることは、ビデオカメラの収納時において小型化を達成することができ、持ち運びに便利な構成となる。
【０００７】
しかしながら、例えば、特許文献３に記載されているようなハンドルが複数のネジを用いて本体に固着する構成の場合には、ハンドルの装着および取り外しが容易ではなく、撮影者にとっては収納時の小型化を簡単に行える構成ではなかった。
【０００８】
また、撮像装置の本体に対して着脱される部品において、機械的にのみ着脱される部品、または機械的および電気的に着脱（接離）される部品が存在する。このような各種部品に対して、同様の着脱動作で容易に、かつ適切な装着および取り外しを行うことができる着脱機構を有する撮像装置が望まれている。
【０００９】
本開示は、上記の課題を解決するものであり、撮像装置に対する部品の着脱を容易なものとすることができると共に、着脱される部品に応じて適切な着脱が可能となる安全性および信頼性の高い撮像装置を提供するものである。
【課題を解決するための手段】
【００１０】
本開示に係る一態様の撮像装置は、
撮像装置本体と、
前記撮像装置本体に対して容易に着脱可能なアクセサリー保持部とを備え、
前記撮像装置本体は、前記アクセサリー保持部を着脱するための本体側着脱部を有し、
前記本体側着脱部は、第１被係合部と第２被係合部と被係止部と電気接点を有する第１接続端子とを備え、
前記アクセサリー保持部は、第１係合部と第２係合部と係止部と第２接続端子とを備え、
前記本体側着脱部は、前記第１被係合部に隣接して配設されて、非装着位置と装着位置とを移動可能である第１着脱可動部と、前記第２被係合部と前記被係止部と前記第１接続端子とに隣接して配設され、非装着位置と装着位置とを移動可能である第２着脱可動部と、を有し、
前記アクセサリー保持部が前記撮像装置本体に装着されるとき、前記アクセサリー保持部の押圧により前記第１着脱可動部および前記第２着脱可動部が装着位置に移動すると共に、前記第１係合部と前記第１被係合部が係合し、前記第２被係合部と前記第２係合部が係合し、前記係止部と前記被係止部が係止し、前記第１接続端子と前記第２接続端子が電気的に接続されるよう構成され、
前記本体側着脱部の前記第１被係合部に対してのみアクセサリー部品が装着されるとき、当該アクセサリー部品の押圧により前記第１着脱可動部が装着位置に移動して、当該アクセサリー部品の装着動作のための装着空間を確保すると共に、前記第２着脱可動部が非装着位置に保持されて、前記第２被係合部と前記被係止部と前記第１接続端子とを保護するように構成されている。
【発明の効果】
【００１１】
本開示によれば、撮像装置に対する部品の着脱を容易なものとすることができると共に、着脱される部品に応じて適切な着脱が可能となる信頼性の高い撮像装置を提供することができる。
【図面の簡単な説明】
【００１２】
【図１】本開示に係る実施の形態１のビデオカメラの全体を示す斜視図
【図２】実施の形態１のビデオカメラがビデオカメラ本体（撮像装置本体）からアクセサリー保持部を取り外した状態を示す斜視図
【図３】実施の形態１のビデオカメラにおいて、本体側シューに対してアクセサリー部品を装着するときの動作を示す図
【図４】実施の形態１のビデオカメラにおいて、本体側頂部カバーの本体側着脱部の動作を示す斜視図
【図５】実施の形態１のビデオカメラにおいて、本体側頂部カバーの本体側着脱部の動作を示す斜視図
【図６】実施の形態１のビデオカメラにおいて、本体側頂部カバーの本体側着脱部を分解して示した斜視図
【図７】実施の形態１におけるアクセサリー保持部の着脱機構を示す斜視図
【図８】実施の形態１におけるアクセサリー保持部の着脱機構の分解斜視図
【図９】実施の形態１におけるアクセサリー保持部の着脱機構の分解斜視図
【図１０】実施の形態１におけるロック解除部の動作を模式的に示す断面図
【図１１】実施の形態１におけるロック解除部のロック解除ツマミとピン支持部との動作を示す断面図
【図１２】実施の形態１におけるビデオカメラ本体に対するアクセサリー保持部の装着動作を示す断面図
【図１３】実施の形態１におけるビデオカメラ本体に対するアクセサリー保持部の取り外し動作を示す断面図
【図１４】実施の形態１におけるスライド動作による第１固定および第２固定を示す断面図
【発明を実施するための形態】
【００１３】
以下、本開示の撮像装置の具体的な実施の形態としてビデオカメラについて添付の図面を参照しながら説明する。なお、本開示の撮像装置は、以下の実施の形態に記載したビデオカメラの構成に限定されるものではなく、以下の実施の形態において説明する技術的特徴と同等の技術的思想に基づく撮像装置の構成を含むものである。
【００１４】
また、以下の実施の形態において示す数値、形状、構成、ステップ（工程、モード）、およびステップの順序などは、一例を示すものであり、発明を本開示の内容に限定するものではない。以下の実施の形態における構成要素のうち、最上位概念を示す独立請求項に記載されていない構成要素については、任意の構成要素として説明される。
【００１５】
先ず始めに、本開示の撮像装置における各種態様を例示する。
本開示に係る第１の態様の撮像装置は、
撮像装置本体と、
前記撮像装置本体に対して着脱可能なアクセサリー保持部とを備え、
前記撮像装置本体は、前記アクセサリー保持部を着脱するための本体側着脱部を有し、
前記本体側着脱部は、第１被係合部と第２被係合部と被係止部と電気接点を有する第１接続端子とを備え、
前記アクセサリー保持部は、第１係合部と第２係合部と係止部と第２接続端子とを備え、
前記本体側着脱部は、前記第１被係合部に隣接して配設されて、非装着位置と装着位置とを移動可能である第１着脱可動部と、前記第２被係合部と前記被係止部と前記第１接続端子とに隣接して配設され、非装着位置と装着位置とを移動可能である第２着脱可動部と、を有し、
前記アクセサリー保持部が前記撮像装置本体に装着されるとき、前記アクセサリー保持部の押圧により前記第１着脱可動部および前記第２着脱可動部が装着位置に移動すると共に、前記第１係合部と前記第１被係合部が係合し、前記第２被係合部と前記第２係合部が係合し、前記係止部と前記被係止部が係止し、前記第１接続端子と前記第２接続端子が電気的に接続されるよう構成され、
前記本体側着脱部の前記第１被係合部に対してのみアクセサリー部品が装着されるとき、当該アクセサリー部品の押圧により前記第１着脱可動部が装着位置に移動して、当該アクセサリー部品の装着動作のための装着空間を確保すると共に、前記第２着脱可動部が非装着位置に保持されて、前記第２被係合部と前記被係止部と前記第１接続端子とを保護するように構成されている。
【００１６】
本開示に係る第２の態様の撮像装置は、前記の第１の態様における前記第２着脱可動部が前記アクセサリー保持部により押圧されて装着位置に移動したとき、前記第１着脱可動部が連動して装着位置に移動するよう構成されており、
前記第１着脱可動部が前記アクセサリー部品により押圧されて装着位置に移動したとき、前記第２着脱可動部が非装着位置に保持されるよう構成されている。
【００１７】
本開示に係る第３の態様の撮像装置は、前記の第１の態様または第２の態様における前記アクセサリー保持部が前記撮像装置本体に装着されるとき、前記アクセサリー保持部の押圧により前記第１着脱可動部および前記第２着脱可動部が装着位置に移動し、前記押圧動作の後のスライド動作により前記第１係合部と前記第１被係合部が係合し、前記第２被係合部と前記第２係合部が係合し、前記係止部と前記被係止部が係止し、前記第１接続端子と前記第２接続端子が電気的に接続されるよう構成されてもよい。
【００１８】
本開示に係る第４の態様の撮像装置は、前記の第１の態様から第３の態様のいずれかの態様における非装着位置の前記第１着脱可動部と前記第２着脱可動部において、前記アクセサリー保持部が装着される面が実質的に同一平面となるよう構成されてもよい。
【００１９】
本開示に係る第５の態様の撮像装置は、前記の第１の態様から第４の態様のいずれかの態様において、前記本体側着脱部における前記アクセサリー保持部が装着される面には、前記アクセサリー保持部のスライド動作のスライド方向に延びる複数の溝が形成されてもよい。
【００２０】
（実施の形態１）
以下、本開示に係る実施の形態１の撮像装置として業務用のビデオカメラについて、図面を参照しながら説明する。図１は実施の形態１の業務用のビデオカメラ１の全体を示す斜視図である。図２は、ビデオカメラ１において、ビデオカメラ本体（撮像装置本体）２からハンドル４を含むアクセサリー保持部３を取り外した状態を示す斜視図である。図２に示すアクセサリー保持部３は、被写体側となる前方側にマイクロホン、ライト、および各種アクセサリーを装着するためのシュー構造などの着脱機構が設けられており、その後方には手で持つことが可能なハンドル４および各種操作ボタンなどが設けられている。なお、本開示において、実施の形態１の撮像装置における前後方向とは、ビデオカメラ本体２のレンズフード７が向いている被写体側を前方とし、アイキャップ８を覗く撮影者側を後方とする。また、実施の形態１の撮像装置における上下とは、図１および図２に示す撮像装置であるビデオカメラにおける上下位置を示すものとする。
【００２１】
図１および図２に示すように、実施の形態１のビデオカメラ１は、アクセサリー保持部３がビデオカメラ本体２から取り外されるように構成されており、収納時の小型化を容易に達成できる構成である。ビデオカメラ本体２は、アクセサリー保持部３が取り外された状態でも通常の撮影を行うことができる構成であり、通常の撮影に使用する各種操作スイッチおよび各種機能を有する構成が設けられている。なお、実施の形態１の構成において、アクセサリー保持部３としては撮像装置本体であるビデオカメラ本体３を支持可能に構成されたハンドルの機能を有する部品を含むものであり、ハンドルの機能のみの構成も含むものとする。
【００２２】
ビデオカメラ本体２は、一般的なビデオカメラと同様の光学機器であるレンズユニット、およびレンズユニットに入射した光を電気信号に変換して撮像する撮像ユニットなどを有して構成されている。ビデオカメラ本体２の上部において、ハンドル４を有するアクセサリー保持部３が装着される位置には、本体側着脱部５が設けられている。本体側着脱部５の前方側にはライトなどのアクセサリー部品を装着するためのシュー構造である第１被係合部の本体側シュー６が設けられている。図２に示すように、ビデオカメラ本体２の上部において、本体側着脱部５と本体側シュー６とは前後一列に並んで配設されている。また、本体側着脱部５と本体側シュー６はビデオカメラ本体２の左右のバランスが均等な位置を中心位置として配設されている。
【００２３】
図３は、第１被係合部である本体側シュー６に対して、ハンドルの機能を有していない、ライトやマイクロホンなどのアクセサリー部品９を装着するときの動作を示す図である。図３においては、ビデオカメラ本体２の一部としてビデオカメラ本体２の上部に設けられている本体側頂部カバー１３を示している。図３において矢印で示すように、アクセサリー部品９を本体側シュー６に装着する場合には、そのアクセサリー部品９に設けられた着脱部分をビデオカメラ本体２の本体側着脱部５に対して押し付け動作（第１装着動作）Ａを行った後、前方に移動させるスライド動作（第２装着動作）Ｂを行う。一方、アクセサリー部品９を本体側シュー６から取り外す場合には、装着動作とは反対に、アクセサリー部品９を後方に移動させるスライド動作を行うことにより取り外すことができる。
【００２４】
実施の形態１の撮像装置としてビデオカメラ１においては、図１および図２に示したように、装着部分に加わる荷重が比較的大きい、ビデオカメラ本体２を支持可能なハンドルとしての機能を有するアクセサリー保持部３、または装着部分に加わる荷重が比較的小さい、ライトやマイクロホンなどのハンドルの機能を有していないアクセサリー部品９という、いずれのアクセサリーの構成においても、ビデオカメラ本体２に対して脱着可能な構成を有している。実施の形態１のビデオカメラ本体２に設けた本体側着脱部５は、重量物を支持するためのハンドルの機能を有するアクセサリー保持部３、またはハンドルの機能を有していないアクセサリー部品９のそれぞれに対して簡単な操作で、それぞれの機能に適した脱着が可能な構成である。
【００２５】
図４の（ａ）、（ｂ）、（ｃ）は、本体側頂部カバー１３に設けられている本体側着脱部５において、ハンドルの機能を有するアクセサリー保持部３が装着されるときの動作と、アクセサリー部品９が装着されるときの動作とを、本体側着脱部５における動作として示している。図４の（ａ）、（ｂ）、（ｃ）に示すように、本体側着脱部５は、前方側（図４の（ａ）、（ｂ）、（ｃ）の左方側)に配設された第１着脱可動部１０と、後方側に配設された第２着脱可動部（接続端子カバー）１２と、第１着脱可動部１０の後方に設けられ、第２着脱可動部１２に取り囲まれるように設けられたロック部１１とを有している。第１着脱可動部１０と第２着脱可動部１２は、上方からの押圧により下方へ所定距離だけ降下するよう構成されており、それぞれが圧縮バネ１５（図６参照）により常時上方へ付勢されて所定位置（非装着位置）に保持されている。
【００２６】
図４の（ａ）は、本体側着脱部５に対してアクセサリー部品９およびアクセサリー保持部３のいずれも装着されていない非装着状態を示している。この非装着状態においては、第１着脱可動部１０と第２着脱可動部１２は上方位置にある。このとき、第１着脱可動部１０とロック部１１と第２着脱可動部１２との各上面は、実質的に同じ位置にあり、略同一平面を形成している。また、第１着脱可動部１０とロック部１１と第２着脱可動部１２の各上面には前後方向（スライド方向）に延設された複数の溝が繋がるように形成されている。このように溝を形成することにより、装着動作時のスライド動作時の摩擦が少なくなると共に、スライド動作時に生じる磨耗傷を目立たなくさせるという効果を有する。
【００２７】
なお、非装着状態においては、本体側着脱部５の前方に設けられている本体側シュー６の上端面が、第１着脱可動部１０とロック部１１と第２着脱可動部１２のそれぞれの上面と略同じ位置となっている。ここで、本体側シュー６の上端面とは、両側に突設されている挟着部分の上面をいう。
【００２８】
また、図４の（ａ）に示すように、少なくとも第１着脱可動部１０とロック部１１と第２着脱可動部１２のそれぞれの両側側面を覆うように、本体側頂部カバー１３には側面カバー１３ａが突設されている。側面カバー１３ａは、本体側頂部カバー１３の頂部において、本体側シュー６と第１着脱可動部１０とロック部１１と第２着脱可動部１２とを挟むように前後方向に並行に形成されている。このように、本体側頂部カバー１３には側面カバー１３ａが設けられて、本体側シュー６と第１着脱可動部１０とロック部１１と第２着脱可動部１２とを側面からカバーするように構成されているため、実施の形態１の撮像装置であるビデオカメラとしての意匠性が向上されている。特に、アクセサリーを装着するためのシューは本体外殻において突出して設けられているのが一般的な構成であるが、実施の形態１の撮像装置本体（ビデオカメラ本体２）の着脱機構としては本体側シュー６が側面からは隠されており、本体外殻から突出した構成ではなく、意匠性に優れた構成となっている。
【００２９】
図４の（ｂ）は、図３に示したように、本体側シュー６に対して部品単体のアクセサリー部品９を装着したときの本体側着脱部５における動作状態を示している。装着部分に加わる荷重が比較的小さいアクセサリー部品９が本体側シュー６に装着されたとき、図４の（ｂ）に示すように、本体側着脱部５の第１着脱可動部１０が下方位置（装着位置）にあり、第２着脱可動部１２が上方位置（非装着位置）のままである。即ち、第１着脱可動部１０がアクセサリー部品９の押圧により下方位置（装着位置）に押し下げられることにより、本体側シュー６の後方側に装着するための空間（装着空間）が確保される。このように形成された装着空間にアクセサリー部品９の着脱部分が位置した状態において、アクセサリー部品９を前方へスライド動作させることにより、アクセサリー部品９の着脱部分が本体側シュー６に係合して装着状態となる。このとき、第２着脱可動部１２が上方位置（非装着位置）のままであるため、ロック部１１は第２着脱可動部１２により取り囲まれた状態である。このため、ロック部１１の外周部分（側面部分）は第２着脱可動部１２により覆われて、保護された状態である。
【００３０】
図４の（ｃ）は、図１に示したように、本体側着脱部５および本体側シュー６に対して、装着部分に加わる荷重が比較的に大きい、ハンドル４の機能を有するアクセサリー保持部３が装着されたときの本体側着脱部５における動作状態を示している。ハンドル４を有するアクセサリー保持部３が装着されるとき、図４の（ｃ）に示すように、アクセサリー保持部３に設けられた後述する着脱機構により、本体側着脱部５の第１着脱可動部１０が下方位置（装着位置）に押し下げられると共に、第２着脱可動部１２も下方位置（装着位置）に押し下げられる。このように、第１着脱可動部１０が下方位置（装着位置）に押し下げられることにより、本体側シュー６の後方側に装着するための装着空間が確保される。同時に、アクセサリー保持部３が本体側着脱部５および本体側シュー６を押圧する押し付け動作Ａにより、本体側着脱部５の第２着脱可動部１２が下方位置（装着位置）に押し下げられる。このため、ビデオカメラ本体２に固定されているロック部１１は、その外周部分（側面部分）が表出して、第２着脱可動部１２による覆いが無くなる。
【００３１】
なお、実施の形態１の構成においては、後述するように、第２着脱可動部１２が押し下げられると、連動して第１着脱可動部１０が押し下げられるように構成されている。一方、第１着脱可動部１０が押し下げられても、第２着脱可動部１２は押し下げられない構成である。
【００３２】
図５の（ａ）および（ｂ）は、図４の（ｂ）および（ｃ）に示した装着状態を示す斜視図であり、後方から前方に向かって見た図である。図５の（ａ）に示す状態が図４の（ｂ）に示したアクセサリー部品９が装着されたときの状態であり、図５の（ｂ）に示す状態が図４の（ｃ）に示したアクセサリー保持部３が装着されたときの状態である。図５の（ｂ）に示すように、アクセサリー保持部３が装着されたとき、本体側着脱部５のロック部１１の外周部分（側面部分）は、第２着脱可動部１２による覆いが無くなり、露出状態となる。このとき、ロック部１１の後方側の側面に設けられた第１接続端子である電気接点を有する接続端子部１４が露出された状態となる。このため、第２着脱可動部１２は、接続端子カバーとしての機能を有している。また、第２着脱可動部１２は、非装着状態における接続端子部１４の保護と共に、ロック部１１の側面に設けられたロック溝１１ｂ（第２被係合部）に対してゴミなどの混入を防止する機能を有している。
【００３３】
上記のように、アクセサリー保持部３を本体側着脱部５および本体側シュー６に対して押し付けることにより（押し付け動作Ａ）、本体側の第１接続端子である接続端子部１４が露出状態となる。この露出状態において、アクセサリー保持部３がスライド動作Ｂをすることにより、本体側の接続端子部１４に対して、アクセサリー保持部３に設けられた第２接続端子である電気接点を有する接続端子部２４（図７参照）が挿入されて電気的に接続状態となる。
【００３４】
［ビデオカメラ本体の着脱機構］
図６は、本体側頂部カバー１３に設けられた本体側着脱部５を分解して示した斜視図である。図６に示すように、第１着脱可動部１０および第２着脱可動部１２は、圧縮バネ１５によりそれぞれ上方へ付勢されており、本体側シュー６に対して、または本体側着脱部５および本体側シュー６に対して機器が装着されていない非装着状態においては、第１着脱可動部１０および第２着脱可動部１２が同じ上方位置（非装着位置）に配置されている。
【００３５】
前述のように、本体側シュー６に対してアクセサリー部品９が装着されるときには、第１着脱可動部１０のみが押圧されて下方位置（装着位置）に移動し、第２着脱可動部１２は移動せず、そのまま上方位置（非装着位置）に維持される。従って、この状態においては、ロック部１１の外周部分（側面部分）が第２着脱可動部（接続端子カバー）１２により覆われた状態となり、ロック部１１の接続端子部（本体側）１４が露出状態とならず、覆われた状態が維持される。
【００３６】
一方、本体側着脱部５および本体側シュー６に対してハンドル４の機能を有するアクセサリー保持部３が装着されるとき、第２着脱可動部１２が押し下げられると共に、第１着脱可動部１０が連動して押し下げられるように構成されている。この結果、本体側着脱部５のロック部１１の接続端子部１４が露出状態となり、この接続端子部１４に対してアクセサリー保持部３の接続端子部２４が挿入可能状態となり、接続端子部（本体側）１４と接続端子部（アクセサリー側）２４が電気的に接続可能となる。
【００３７】
図６に示すように、第１被係合部である本体側シュー６は、ビスにより本体側頂部カバー１３に固定されており、装着される機器側に設けられた着脱機構に対して確実に装着される構成である。また、本体側シュー６の後方に設けられた本体側着脱部５のロック部１１においても本体側頂部カバー１３に固定されて、移動しない構成である。実施の形態１におけるロック部１１の上面（アクセサリー保持部３が装着される面）には、有底の被係止部であるロック穴１１ａが形成されている。また、ロック部１１の両側の側面には後方側から所定距離を有する溝である第２被係合部のロック溝１１ｂが形成されている。これらのロック穴１１ａおよびロック溝１１ｂには、後述するように、装着されるアクセサリー保持部３に設けられた着脱機構における固定用部材（ロックピン２２、ロックプレート２６）が装着可能に構成されている。
【００３８】
ロック部１１の第２被係合部であるロック溝１１ｂには押圧バネ１６が装着されており、後述するように、装着されたアクセサリー保持部３に設けられた第２係合部であるロック爪２６ａを押圧して、ロック溝１１ｂとロック爪２６ａとの装着状態（係合状態）を維持し、ビデオカメラ本体２に対して装着されたアクセサリー保持部３のぐらつきを防止している。なお、ロック部１１は、固定用部材として機能するため、剛性を有し、耐磨耗性の高い材料が用いられており、実施の形態１においては加工が容易な金属材料により形成されている。
【００３９】
［アクセサリー保持部３の着脱機構］
図７は、実施の形態１におけるハンドル４の機能を有するアクセサリー保持部３の着脱機構３０を示す斜視図である。図７においては、アクセサリー保持部３の一部を示しており、アクセサリー保持部３の装着面となる下面（ビデオカメラ本体２に対向する面）を主として示している。図７において、左側がビデオカメラ１の前方側となる。
【００４０】
図７に示すように、アクセサリー保持部３の下面に設けられた着脱機構は、前方側に第１固定用部材であるロックブレード２５が設けられ、後方側に第２固定用部材であるロックプレート２６が設けられている。ロックプレート２６には貫通孔２６ｂが形成されており、貫通孔２６ｂの内部で上下に移動可能な係止部であるロックピン２２が配設されている。この係止部であるロックピン２２が第３固定用部材となる。また、アクセサリー保持部３の着脱機構には、後方側に電気接点を有する接続端子部（アクセサリー側）２４が設けられている。
【００４１】
図７に示すように、アクセサリー保持部３のロックブレード２５は、本体側シュー６に固定される平板部材であり、前方側が左右幅の狭い幅狭部２５ａと、後方側が左右幅の広い幅広部２５ｂとを有する。ロックブレード２５の幅狭部２５ａは、装着動作おける下方への押し付け動作（第１装着動作）Ａにおいて、本体側シュー６の両側に突設されたシュー爪６ａの間に配置される。この状態において、アクセサリー保持部３を前方へ移動させるスライド動作（第２装着動作）Ｂが行われるため、ロックブレード２５の幅広部２５ｂが本体側シュー６のシューベース６ｂとシュー爪６ａとの間に挿入されて挟着（係合）される（図６参照）。この結果、ロックブレード２５の幅広部２５ｂは本体側シュー６により確実に保持される。このとき、ロックブレード２５の幅広部２５ｂは、シュー爪６ａとシューベース６ｂとの間に設けられている押圧バネ１７（図８参照）により押圧されて、強く挟着（係合）される構成である。
【００４２】
アクセサリー保持部３の着脱機構３０の後方側に設けられた電気接点を有する第２接続端子である接続端子部（アクセサリー側）２４は、アクセサリー保持部３の前方へのスライド動作（第２装着動作）Ｂにより、ビデオカメラ本体２の着脱機構である本体側着脱部５に設けられた第１接続端子である接続端子部１４（図５の（ｂ）参照）が電気的に接続される構成である。
【００４３】
図８および図９は、図７に示したアクセサリー保持部３の着脱機構３０の分解斜視図である。図８は上方から見た斜視図であり、図９は下方から見た斜視図である。図８および図９に示すように、アクセサリー保持部３の着脱機構３０は、上面側がアクセサリーケース２７により覆われており、下面側には裏面カバー２８および端子保護カバー２９が設けられている。端子保護カバー２９には、突起状の２つの端子保護部２９ａが形成されており、２つの端子保護部２９ａが接続端子部２４を間に挟むように設けられている。端子保護カバー２９の端子保護部２９ａは、例えば、アクセサリー保持部３が接続端子部２４を下にして台上に置かれたとき、接続端子部２４に対する直接的な接触を防止する保護機能を有する。
【００４４】
アクセサリー保持部３の裏面カバー２８にはロックブレード支持台２８ａが形成されている。ロックブレード支持台２８ａは、ロックブレード２５が固着される部分であり、例えばネジなどの固着手段により固着されている。但し、ロックブレード２５の幅広部２５ｂの幅方向の両端側がロックブレード支持台２８ａに対して隙間を有するように固着されている。この隙間は、スライド動作（第２装着動作）Ｂにおいて、ビデオカメラ本体２の本体側シュー６のシュー爪６ａが挿入される隙間となる。この隙間には、押圧バネ１７が設けられており、押圧バネ１７はロックブレード２５の幅広部２５ｂに固定されている。このように押圧バネ１７を隙間に設けることにより、本体側シュー６のシュー爪６ａが隙間に挿入されたとき、シュー爪６ａが押圧バネ１７により押圧されて、ロックブレード２５が本体側シュー６により確実に保持される。
【００４５】
裏面カバー２８において、ロックブレード支持台２８ａの後方には、ロックプレート２６が設けられている。裏面カバー２８には、ロックプレート２６の貫通孔２６ｂに対応する位置に貫通孔２８ｂが形成されている。裏面カバー２８の貫通孔２８ｂおよびロックプレート２６の貫通孔２６ｂを貫通するようにロックピン２２が配設されている。係止部であるロックピン２２は、後述するように上下に移動する機構を有し、ロック位置（下方位置）およびロック解除位置（上方位置）のいずれかの位置に配置される。
【００４６】
ロックピン２２は、上下の移動方向とは直交する方向に平行な中心軸を持つピン支持棒２３により貫通されている。このピン支持棒２３は、ロック解除機構を有するロック解除部２０により移動可能に保持されている。ロック解除部２０は、ロック解除ケース３１と、ロック解除ケース３１の内部を前後に移動可能に構成されたピン支持部３２（図１０、図１１参照）と、ピン支持部３２の移動を可能とするためのロック解除ツマミ２１と、を有している。
【００４７】
図１０の（ａ）、（ｂ）は、ロック解除部２０において、ロックピン２２を貫通するピン支持棒２３により位置規定するための動作を模式的に示している。図１０の（ａ）、（ｂ）に示すように、ロック解除部２０のピン支持部３２には斜面３２ａが形成されており、この斜面３２ａがロックピン２２を貫通するピン支持棒２３を支持し、斜面３２ａ上をピン支持棒２３が摺動する構成である。従って、ロック解除部２０のピン支持部３２が前後位置に移動することにより、ロックピン２２が上下位置に移動することになる。即ち、図１０の（ａ）に矢印で示すように、ピン支持部３２が後方に移動することにより、ピン支持棒２３が斜面３２ａを上り、ロックピン２２が上方位置（ロック解除位置）に移動する（図１０の（ｂ）参照）。一方、図１０の（ｂ）に示す上方位置（ロック解除位置）から、ピン支持部３２が前方（図１０の（ｂ）の左方向）に移動することにより、ピン支持棒２３が斜面を下り、ロックピン２２が下方位置（ロック位置）に移動する。実施の形態１の構成においては、ピン支持部３２は付勢手段（例えば、バネなど）により後方に常に付勢されているため、通常は、図１０の（ａ）に示すように、ロックピン２２が下方位置（ロック位置）にある。
【００４８】
図１１の（ａ）、（ｂ）、（ｃ）は、ロック解除部２０におけるロック解除ツマミ２１とピン支持部３２との動作を示す断面図である。図１１の（ａ）、（ｂ）、（ｃ）に示す断面図において、ロック解除部２０におけるロック解除ツマミ２１とピン支持部３２との動作の関連性を示すために、ロック解除ツマミ２１の近傍を平面断面で示している。図１１の（ａ）は、ビデオカメラ本体２にアクセサリー保持部３が装着され、アクセサリー保持部３がビデオカメラ本体２に固定されたロック状態を示している。即ち、図１１の（ａ）に示すロック状態は、ロックピン２２が下方位置（ロック位置）にあり、ロックピン２２がビデオカメラ本体２のロック部１１のロック穴１１ａに嵌入（係合）した状態である。
【００４９】
図１１の（ａ）に示したロック状態において、アクセサリー保持部３をビデオカメラ本体２から取り外すとき、図１１の（ｂ）に示すように、アクセサリーケース２７（ロック解除ケース３１）の両側面から左右に突出している２つのロック解除ツマミ２１を同時に内側に押圧する。このとき、ロック解除ケース３１の両側面から突出する２つのロック解除ツマミ２１を片方の手の指で両側からつまむように握る動作により行うことができる。このように、２つのロック解除ツマミ２１が同時に内側に移動することにより、ロック解除ツマミ２１の内側に形成されているツマミ係止部２１ａが移動し、ロック解除ケース３１に形成されている突起部３１ａとツマミ係止部２１ａとの係止状態が外れて、ロック解除ツマミ２１の後方への移動が可能な状態となる（図１１の（ｂ）参照）。
【００５０】
図１１の（ｂ）に示す状態において、ロック解除ツマミ２１を後方（図１１の（ｂ）における右方向）へ移動させることにより、ロック解除ツマミ２１と共に、ロック解除ケース３１の内側をスライドするピン支持部３２が後方へ移動する（図１１の（ｃ）参照）。その結果、前述の図１０の（ｂ）に示したように、ロックピン２２が上方位置（ロック解除位置）に移動する。上記のように、アクセサリー保持部３をビデオカメラ本体２から取り外すときには、２つのロック解除ツマミ２１を片方の手の指で両側からつまむように握り、後方へ引くことにより、アクセサリー保持部３をビデオカメラ本体２から容易に取り外すことができる。即ち、実施の形態１のビデオカメラ１においては、ハンドル４を有するアクセサリー保持部３を取り外すとき、ロック解除ツマミ２１を片手でつまんで引くという実質的な一つの取り外し動作で容易に取り外すことができる。
【００５１】
上記の取り外し動作は、アクセサリーケース２７の両側面から突出している２つのロック解除ツマミ２１を同時に押圧しなければならず、且つ同時に押圧しつつ引く動作を行わなければアクセサリー保持部３をビデオカメラ本体２から取り外すことができない構成である。このため、アクセサリー保持部３をビデオカメラ本体２から容易に取り外すことができる構成ではあるが、一方、不意の衝撃等によりアクセサリー保持部３がビデオカメラ本体２から外れることがなく、安全性および信頼性の高い構成となっている。
【００５２】
なお、ピン支持部３２とロック解除ケース３１との間には付勢手段である、例えば圧縮バネ３３が設けられている。このため、ロック解除ツマミ２１およびピン支持部３２はロック解除ケース３１に対して常に前方へ付勢されている。このため、常時のロックピン２２は下方位置（ロック位置）にある。両側のロック解除ツマミ２１をつまんで後方へ引くことにより、ロックピン２２が上方位置（ロック解除位置）に移動し、ロック解除ツマミ２１から手を離すことにより、ロックピン２２は下方位置（ロック位置）に復帰する構成である。また、２つのロック解除ツマミ２１の間には、バネなどの付勢が設けられているため、２つのロック解除ツマミ２１は常にアクセサリーケース２７の両側面から突出する構成となっている。
【００５３】
［ビデオカメラ本体に対するアクセサリー保持部の着脱動作］
図１２の（ａ）、（ｂ）、（ｃ）は、ビデオカメラ本体２に対するアクセサリー保持部３の装着動作を示す断面図であり、それぞれの着脱機構の位置を端面で示している。図１２の（ａ）は、装着前のそれぞれの着脱機構の位置を示している。即ち、図１２の（ａ）に示す状態においては、ロックピン２２は突出した下方位置（ロック位置）にあり、ロック解除ツマミ２１が両側面から突出した状態（図１１の（ａ）の状態）にある。
【００５４】
図１２の（ｂ）は、図１２の（ａ）に示した装着前状態において、アクセサリー保持部３をビデオカメラ本体２の所定位置に押し付け（押し付け動作Ａ）後の状態を示す。図１２の（ｂ）に示すように、ロックピン２２はビデオカメラ本体２のロック部１１の上面に当接して上方位置（ロック解除位置）に移動する。このため、アクセサリー保持部３の着脱機構３０がビデオカメラ本体２の着脱機構（本体側着脱部５）上を前方への移動（スライド動作Ｂ）が可能な状態となる。
【００５５】
図１２の（ｃ）は、アクセサリー保持部３を前方へ移動（スライド動作Ｂ）させて、アクセサリー保持部３の着脱機構３０がビデオカメラ本体２の着脱機構（本体側着脱部５）に装着された状態を示している。図１２の（ｃ）に示す装着状態において、アクセサリー保持部３の着脱機構３０の前方側に設けられたロックブレード２５の幅広部２５ｂ（第１係合部）がビデオカメラ本体２の着脱機構の本体側シュー６（第１被係合部）に挿入されて装着（係合）されている。このとき、アクセサリー保持部３の着脱機構３０の後方側に設けられたロックプレート２６のロック爪２６ａ（第２係合部）がビデオカメラ本体２の着脱機構のロック部１１のロック溝１１ｂ（第２被係合部）に挿入されて装着（係合）される。さらに、図１２の（ｃ）に示すように、アクセサリー保持部３の着脱機構３０のロックピン２２（係止部）は、ビデオカメラ本体２の着脱機構のロック部１１のロック穴１１ａ（被係止部）に嵌まり込んで装着（係止）されている。
【００５６】
上記のように、図１２の（ｃ）に示す装着状態においては、ロックブレード２５の幅広部２５ｂ（第１係合部）が本体側シュー６（第１被係合部）に係合（第１固定）され、ロックプレート２６のロック爪２６ａ（第２係合部）がロック部１１のロック溝１１ｂ（第２被係合部）に係合（第２固定）し、ロックピン２２（係止部）がロック部１１のロック穴１１ａ（被係止部）に係止（第３固定）している。この結果、アクセサリー保持部３は、ビデオカメラ本体２に対して３カ所で固定された状態となり、確実に保持された安全性および信頼性の高い装着状態となる。
【００５７】
図１３の（ａ）から（ｄ）は、ビデオカメラ本体２に対するアクセサリー保持部３の取り外し動作を示す断面図であり、それぞれの着脱機構の位置を端面で示している。図１３の（ａ）は、装着状態における着脱機構の位置を示している。即ち、図１３の（ａ）に示す装着状態は、前述の図１２の（ｃ）に示す状態と同じであり、ロックピン２２は突出した下方位置（ロック位置）にあり、ロック解除ツマミ２１がアクセサリーケース２７（ロック解除ケース３１）の両側面から突出した状態にある。
【００５８】
図１３の（ｂ）は、アクセサリーケース２７の両側面から突出した２つのロック解除ツマミ２１を押圧（つまむ動作）して、後方に引き、ロックピン２２を上方位置（ロック解除位置）に移動させた状態を示している。即ち、このときロックピン２２（係止部）はロック部１１のロック穴１１ａ（被係止部）からは外れた位置にある。図１３の（ｂ）に示す状態においては、ビデオカメラ本体２に対するアクセサリー保持部３の位置は、装着状態時の位置のままである。
【００５９】
図１３の（ｃ）は、図１３の（ｂ）に示す状態において、アクセサリー保持部３を後方に移動させたスライド動作後の状態を示している。従って、図１３の（ｃ）に示す状態においては、ロックブレード２５の幅広部２５ｂ（第１係合部）が本体側シュー６（第１被係合部）から外れ、ロックプレート２６のロック爪２６ａ（第２係合部）がロック部１１のロック溝１１ｂ（第２被係合部）から外れ、ロックピン２２（係止部）がロック部１１のロック穴１１ａ（被係止部）から外れた状態である。この結果、アクセサリー保持部３はビデオカメラ本体２から持ち上げることが可能であり、アクセサリー保持部３はビデオカメラ本体２から完全に取り外された状態となる（図１３の（ｄ）参照）。
【００６０】
図１４の（ａ）、（ｂ）は、本体側シュー６（第１被係合部）とロックブレード２５の幅広部２５ｂ（第１係合部）とのスライド動作Ｂによる第１固定、およびロック部１１のロック溝１１ｂ（第２被係合部）とロックプレート２６のロック爪２６ａ（第２係合部）とのスライド動作Ｂによる第２固定を示す断面図である。図１４の（ａ）、（ｂ）においては、それぞれの固定用部材を端面で示している。図１４の（ａ）に示す状態は、押し付け動作Ａを行った後のスライド動作Ｂの直前の状態を示している。図１４の（ｂ）に示す状態は、スライド動作後の装着状態を示している。なお、図１４の（ｂ）に示す装着状態において、前述のように、両側から突出する２つのロック解除ツマミ２１を押圧して後方に引き、取り外し動作（スライド動作）を行うことにより、アクセサリー保持部３はビデオカメラ本体２から容易に取り外すことが可能となる。
【００６１】
図１４の（ａ）、（ｂ）に示すように、ビデオカメラ本体２の本体側シュー６（第１被係合部）のシュー爪６ａが挿入される隙間において、アクセサリー保持部３のロックブレード２５の幅広部２５ｂ（第１係合部）の上面には押圧バネ１７が設けられている（図８参照）。このため、スライド動作Ｂにより、本体側シュー６（第１被係合部）のシュー爪６ａが押圧バネ１７が設けられた隙間に挿入されたとき、シュー爪６ａが押圧バネ１７により押圧されて保持される構成となる。この結果、アクセサリー保持部３のロックブレード２５は、ビデオカメラ本体２の本体側シュー６に確実に固定された状態となる（第１固定）。
【００６２】
また、図１４の（ａ）、（ｂ）に示すように、ビデオカメラ本体２のロック部１１のロック溝１１ｂ（第２被係合部）には押圧バネ１６が設けられている（図６参照）。このため、アクセサリー保持部３のロックプレート２６のロック爪２６ａ（第２係合部）が押圧バネ１６が設けられたロック溝１１ｂに挿入されたとき、ロック爪２６ａ（第２係合部）が押圧バネ１６により押圧される。この結果、アクセサリー保持部３のロックプレート２６は、ビデオカメラ本体２のロック部１１に確実に固定された状態となる（第２固定）。
【００６３】
上記のように、撮像装置本体であるビデオカメラ本体２に対して、重量物を支持することが可能なハンドル４などの荷重が加わるアクセサリーを有するアクセサリー保持部３を装着する場合には、アクセサリー保持部３をビデオカメラ本体２に対して押し付け動作（第１装着動作）Ａおよびスライド動作（第２装着動作）Ｂを行うことにより、３カ所で位置が固定された状態となる。即ち、実施の形態１の構成においては、押し付け動作（第１装着動作）Ａおよびスライド動作（第２装着動作）Ｂの一連の装着動作を行うことにより、アクセサリー保持部３のロックブレード２５がビデオカメラ本体２の本体側シュー６に挿入されて係合する第１固定と、アクセサリー保持部３のロックプレート２６のロック爪２６ａがビデオカメラ本体２のロック部１１のロック溝１１ｂに挿入されて係合する第２固定と、アクセサリー保持部３のロックピン２２がビデオカメラ本体２のロック部１１のロック穴１１ａに嵌まり込み係止する第３固定と、を同時に行うことができる構成となる。また、この装着動作においては、アクセサリー保持部３とビデオカメラ本体２との電気的接続を同時に行うことができる構成となっている。
【００６４】
従って、本開示の撮像装置においては、実施の形態１において説明したように、簡単な装着動作により装着部分に大きな荷重が加わるアクセサリーを簡単な装着動作で容易に装着することができると共に、装着状態においてはアクセサリーが確実に保持され、安全性および信頼性の高いものとなっている。
【００６５】
また、本開示の撮像装置は、実施の形態１において説明した着脱機構の構成に示したように、装着部分に荷重が加わるアクセサリー保持部（３）を取り外すとき、ロック解除ツマミ（２１）を片手でつまんでアクセサリー保持部（３）を引くという実質的に一つの取り外し動作を行うことにより、アクセサリー保持部（３）を容易に取り外すことができる構成である。
【００６６】
本開示の撮像装置においては、実施の形態１において説明したように、着脱機構の構成において、両側から突出する少なくとも２つのロック解除ツマミ（２１）を同時に押圧しつつ、アクセサリー保持部（３）を引く動作を行わなければ、アクセサリー保持部（３）を撮像装置本体（２）から取り外すことができない構成である。このため、不意の衝撃等によりアクセサリー保持部（３）が撮像装置本体（２）から外れるような重大な事故が発生することがなく、安全性および信頼性の高い撮像装置となる。
【００６７】
さらに、本開示の撮像装置においては、実施の形態１において説明したように、着脱機構の構成における装着部分に荷重があまり加わらないアクセサリー部品（９）を撮像装置本体（２）に装着する場合には、着脱機構に設けられている本体側シュー（６）に対して当該アクセサリー部品（９）を簡単な装着動作（スライド動作）により装着することが可能となる。従って、本開示の撮像装置における着脱機構の構成は、装着される機能に応じて簡単な装着動作で適切な装着を行うことが可能な構成となる。
【００６８】
以上のように、本開示の撮像装置においては、撮像装置本体に対するアクセサリーの着脱が容易な構成であると共に、着脱されるアクセサリーの着脱機構に応じて適切な着脱が可能な安全性および信頼性の高い撮像装置となる。
【産業上の利用可能性】
【００６９】
本開示の撮像装置は、撮像装置本体に対してハンドルの機能を有する荷重が加わるアクセサリーを容易に着脱することができるため、持ち運びに便利な構成となり、製品価値の高い撮像装置となる。
【符号の説明】
【００７０】
１  ビデオカメラ
２  ビデオカメラ本体
３  アクセサリー保持部（ハンドル４を含む）
４  ハンドル
５  本体側着脱部
６  本体側シュー（第１被係合部）
６ａ  シュー爪
６ｂ  シューベース
７  レンズフード
８  アイキャップ
９  アクセサリー部品
１０  第１着脱可動部
１１  ロック部
１１ａ  ロック穴（被係止部）
１１ｂ  ロック溝（第２被係合部）
１２  第２着脱可動部（接続端子カバー）
１３  本体側頂部カバー
１３ａ  側面カバー
１４  本体側の接続端子部（第１接続端子）
２０  ロック解除部
２１  ロック解除ツマミ
２１ａ  ツマミ係止部
２２  ロックピン（係止部）
２３  ピン支持棒
２４  アクセサリー側の接続端子部（第２接続端子）
２５  ロックブレード
２５ａ  幅狭部
２５ｂ  幅広部（第１係合部）
２６  ロックプレート
２６ａ  ロック爪（第２係合部）
２６ｂ  貫通孔
２６ｃ  ロックプレートベース
２９  端子保護カバー
３０  着脱機構（アクセサリー保持部側）
３１  ロック解除ケース
３１ａ  突起部
３２  ピン支持部
３２ａ  斜面
【図１】
2020173356.tif 000003
【図２】
2020173356.tif 000004
【図３】
2020173356.tif 000005
【図４】
2020173356.tif 000006
【図５】
2020173356.tif 000007
【図６】
2020173356.tif 000008
【図７】
2020173356.tif 000009
【図８】
2020173356.tif 000010
【図９】
2020173356.tif 000011
【図１０】
2020173356.tif 000012
【図１１】
2020173356.tif 000013
【図１２】
2020173356.tif 000014
【図１３】
2020173356.tif 000015
【図１４】
2020173356.tif 000016